(57)【特許請求の範囲】
【請求項１】
組立模型の構成部位を組み立てる複数のパーツをランナーで接続したパーツ供給品であって、
前記組立模型の構成部位を組み立てるための複数の前記パーツを集めてパーツ群を形成し、
前記パーツ群に、当該パーツ群を他のパーツ群から識別する絵柄又は文字を有する識別標識を設け、
前記識別標識を用いて別の模型を組み立て可能であるパーツ供給品。
【請求項２】
請求項１において、
前記別の模型がサイコロであり、
前記パーツ供給品を収容する容器に、前記サイコロを用いるゲームが印刷されているパーツ供給品。
【発明の詳細な説明】
【技術分野】
【０００１】
本発明は、パーツ供給品に関するものである。
【背景技術】
【０００２】
従来より、組立模型の構成部位を組み立てる複数のパーツをランナーで接続したパーツ供給品が知られている（特許文献１）。特許文献１に記載のパーツ供給品では、組立模型を組み立てるための複数のパーツを枝状ランナーにより、矩形状の枠状ランナーに一体的に接続している。組立模型を組み立てる際には、枝状ランナーを切断することにより、パーツを枠状ランナーから切り離し、パーツ同士を接続して組立模型を組み立てる。
【０００３】
従って、全てのパーツを切り離した後の枠状ランナーは、組立模型の組立には使用されない矩形の枠が残るので、この枠を用いて、組立模型の基地を作成する。これにより、本来無駄な部分を有効に利用している。
【先行技術文献】
【特許文献】
【０００４】
【特許文献１】実開平６−４６７９２号公報
【発明の概要】
【発明が解決しようとする課題】
【０００５】
しかしながら、前述したような従来のパーツ供給品においては、全てのパーツを切り離した後の枠状ランナーのみを用いて別の模型を組み立てているため、そのほかにも利用できる部品があり改善の余地がある。
【０００６】
そこで、本発明は、上記の問題を鑑みてなされたものであり、パーツとは異なる機能を果たした使用済み部分を再利用することができるパーツ供給品を提供することを目的とする。
【課題を解決するための手段】
【０００７】
本発明のパーツ供給品は、組立模型の構成部位を組み立てる複数のパーツをランナーで接続したパーツ供給品であって、前記組立模型の構成部位を組み立てるための複数の前記パーツを集めてパーツ群を形成し、前記パーツ群に、当該パーツ群を他のパーツ群から識別する絵柄又は文字を有する識別標識を設け、前記識別標識を用いて別の模型を組み立て可能である。
【０００９】
また、本発明のパーツ供給品は、前記別の模型がサイコロであり、前記パーツ供給品を収容する容器に、前記サイコロを用いるゲームが印刷されているものであることが好ましい。
【発明の効果】
【００１０】
本発明に係るパーツ供給品によれば、複数のパーツをランナーで接続したパーツ供給品において、パーツとは異なる機能を有し、パーツを切り離して組立模型を組み立てた後の使用済み部分を用いて別の模型を組み立てるので、本来無駄になる部分を有効利用することができる。
【図面の簡単な説明】
【００１１】
【図１】本発明にかかる実施形態のパーツ供給品により組み立てられる戦闘人形の全体斜視図である。
【図２】本発明にかかる実施形態のパーツ供給品の平面図である。
【図３】本発明にかかる実施形態のパーツ供給品を分離した状態を示す平面図である。
【図４】（Ａ）はサイコロのサイドブロックの表面を示す平面図であり、（Ｂ）は裏面を示す背面図である。
【図５】各構成部位を組み立てるための特定パーツ群を集めた状態を示す説明図である。
【図６】各アイコン表示部の正面図および断面図である。
【図７】サイコロの全体斜視図である。
【発明を実施するための形態】
【００１２】
以下、本発明に係る好適な実施の形態について、図面を参照しながら説明する。図１および図２に示すように、本発明にかかる実施形態のパーツ供給品１０は、例えば、組立模型である戦闘人形１の構成部位２０、すなわち、頭部２１、胸部２２、腕部２３、下半身部２４、槍２５、盾２６を組み立てるためのパーツ３０１を供給するものである。ここでは、Ａ型パーツ供給品１０Ａ、Ｂ型パーツ供給品１０Ｂ、Ｃ型パーツ供給品１０Ｃの、３種のパーツ供給品１０を有する場合について説明する。なお、構成部位を総称する場合には、「構成部位２０」で表示することとする。また、Ａ型パーツ供給品１０Ａ、Ｂ型パーツ供給品１０Ｂ、Ｃ型パーツ供給品１０Ｃの全体に共通する場合には、「パーツ供給品１０」で表示することとする。
【００１３】
図２に示すように、パーツ供給品１０は、特定の構成部位２０を組み立てるための複数のパーツ３０１（各部のパーツの総称である。）のみを枝状ランナー４２で枠状ランナー４３に接続して特定パーツ群３０を形成し、複数の特定パーツ群３０の枠状ランナー４３同士を切り離し可能に結合したものである。例えば、各枠状ランナー４３の枠状ランナー４３同士を、枝状ランナー４４によって結合したり、枠状ランナー４３の一部を別（図２においては円形）の枠状ランナー４５によって切り離し可能に結合することができる。
【００１４】
図３には、各型のパーツ供給品１０から、特定パーツ群３０を切り離した状態が示されている。各型のパーツ供給品１０は、それぞれに、頭部２１、胸部２２、腕部２３、下半身部２４、槍２５、盾２６の内のいくつかの構成部位２０を組み立てるための特定パーツ群３０を有する。
【００１５】
すなわち、Ａ型パーツ供給品１０Ａは、頭部２１を組み立てるための頭部特定パーツ群３１Ａ、胸部２２を組み立てるための胸部特定パーツ群３２Ａ、腕部２３を組み立てるための腕部特定パーツ群３３Ａ、下半身部２４を組み立てるための下半身部特定パーツ群３４Ａ、盾２６を組み立てるための盾特定パーツ群３６Ａを有する。なお、Ａ型パーツ供給品１０Ａには、槍２５を組み立てるための槍特定パーツ群３５は含まれていない。
【００１６】
同様に、Ｂ型パーツ供給品１０Ｂは、頭部特定パーツ群３１Ｂ、胸部特定パーツ群３２Ｂ、腕部特定パーツ群３３Ｂ、下半身部特定パーツ群３４Ｂを有し、槍特定パーツ群３５Ｃおよび盾特定パーツ群３６Ａは含まれていない。
【００１７】
また、Ｃ型パーツ供給品１０Ｃは、頭部特定パーツ群３１Ｃ、胸部特定パーツ群３２Ｃ、腕部特定パーツ群３３Ｃ、下半身部特定パーツ群３４Ｃ、槍特定パーツ群３５Ｃを有し、盾特定パーツ群３６Ａは含まれていない。さらに、サイコロ５０用のパーツを有するサイコロ特定パーツ群３７Ｃを有する。
【００１８】
図４に示すように、サイコロ特定パーツ群３７Ｃには、パーツ３０１としてサイコロ５０（図７参照）の両サイドブロック５１、５１が枝状ランナー４２によって枠状ランナー４３に取り付けられている。サイドブロック５１は、例えば、略六角形をしており、図４（Ｂ）に示すように、輪郭に沿って所定の幅を有する枠５３が設けられている。また、裏面５１１には、輪郭に沿って６個の嵌合凹部５２が設けられている。各嵌合凹部５２は、中央に直線状の中央凹部５２１を有し、中央凹部５２１の両端には略円形状の端凹部５２２を有する。
【００１９】
図３に示すように、各特定パーツ群３０には、その特定パーツ群３０に含まれるパーツ３０１が、どの構成部位２０を組み立てるのに用いられるかを示す識別標識であるアイコン表示部４６が設けられており、アイコン４７が付されている。なお、以下の説明において、アイコン表示部全体を示す場合には「アイコン表示部４６」で示し、アイコン全体を示す場合には「アイコン４７」で示す。
【００２０】
図６に示すように、例えば、頭部特定パーツ群３１Ａに設けられているアイコン表示部４６１は、頭部２１を示すアイコン４７１が表示されている。アイコン４６１としては、例えば、頭部２１の図柄や名称等を、抜き絵で表示することができる。同様に、他の特定パーツ群３２〜３６では、それぞれの図柄や文字等を表示するアイコン４７２〜４７６が付されたアイコン表示部４６２〜４６６が設けられており、異なる特定パーツ群３０には、異なる表示が設けられている。なお、アイコン表示部４６は、図６に示すような長い矩形状のものは、各構成部位について１個あれば足り、他のアイコン表示部４６にはアイコン４７が表示された短い矩形状のアイコン部４８のみでよい。
【００２１】
従って、各構成部位２０を組み立てる際には、図５に示すように、各型のパーツ供給品１０から切り離した特定パーツ群３０の内の、同じ特定パーツ群３０を集めることにより、必要なパーツ４１が揃う。すなわち、各特定パーツ群３０のアイコン表示部４６に表示されているアイコン４７が同じものを集めることにより、必要なパーツ４１が揃う。
【００２２】
例えば、図５（Ａ）に示すように、頭部２１を組み立てる際には、Ａ型パーツ供給品１０Ａから頭部特定パーツ群３１Ａを、Ｂ型パーツ供給品１０Ｂから頭部特定パーツ群３１Ｂを、Ｃ型パーツ供給品１０Ｃから頭部特定パーツ群３１Ｃを持ってくる。これにより、頭部２１の組立に必要なパーツ３０１は、全て揃い、且つ、他の構成部位２０のためのパーツ３０１は含まれない。
【００２３】
また、図５（Ｂ）ないし（Ｆ）に示すように、他の構成部位２０についても、各特定パーツ群３０のアイコン表示部４６に表示されているアイコン４７が同じものを集めることにより、必要なパーツ３０１が揃うことは、全く同様である。
なお、図５（Ｅ）および（Ｆ）に示すように、単一の特定パーツ群３０のみ用いられる場合もある。
【００２４】
図６に示すように、アイコン表示部４６の断面形状は、大きさおよび形状がサイドブロック５１に設けられている嵌合凹部５２と対応しており、中央に平面部４６７を有し、平面部４６７の両側に円形の膨出部４６８を有する。前述したようにして、同じアイコン４７の各特定パーツ群３０を集めることにより構成部位２０を組み立てるのに必要なパーツ３０１を集めた後は、アイコン表示部４６は使用済み部分となる。このアイコン表示部４６を切り離して、一対のサイドブロック５１、５１の嵌合凹部５２に両端を挿嵌することにより、図７に示すようなサイコロ５０を組み立てることができる。
【００２５】
また、図示はしないが、パーツ供給品１０を収容する袋等の容器に用いる台紙や説明書等に双六等のゲーム用の図柄を印刷しておき、サイコロ５０を用いて遊技ができるようにしてもよい。
【００２６】
以上、説明した実施形態にかかるパーツ供給品１０によれば、戦闘人形１における特定の構成部位２０を組み立てるためのパーツ３０１のみを集めた特定パーツ群３０を複数有しており、各特定パーツ群３０には異同を区別するためのアイコン表示部４６が設けられている。従って、パーツ３０１とは異なる機能を有するアイコン表示部４６は、パーツ３０１を切り離して戦闘人形１を組み立てた後は識別標識として使用済み部分となり、このアイコン表示部４６を用いてサイコロ５０を組み立てるので、本来無駄になる部分を有効利用することができる。
【００２７】
また、パーツ供給品１０の使用済み部分であるアイコン表示部４６を用いて組み立てられたサイコロ５０を用いて、パーツ供給品１０の収容に用いられた容器等に印刷されたゲームを行うことができるので、使用済み部分を一層有効利用することができる。
【００２８】
以上、本発明の好ましい実施例について詳述したが、本発明に係るパーツ供給品は、上述した実施形態に限定されるものではなく、特許請求の範囲に記載された本発明の要旨の範囲内において、種々の変形、変化が可能である。すなわち、前述した実施形態では、サイコロ５０に用いるアイコン表示部４６には、構成部位２０を示す図柄等を表示した場合を例示したが、この他、これに代わって、あるいはこれに加えて数字を表示することも可能である。
【符号の説明】
【００２９】
１  戦闘人形（組立模型）
１０  パーツ供給品
２０  構成部位
３０  特定パーツ群
３０１  パーツ
４２  ランナー
４６  アイコン表示部（使用済み部分、識別標識）
５０  サイコロ（別の模型）
【図１】
0005753122.tif 000002
【図２】
0005753122.tif 000003
【図３】
0005753122.tif 000004
【図４】
0005753122.tif 000005
【図５】
0005753122.tif 000006
【図６】
0005753122.tif 000007
【図７】
0005753122.tif 000008